(57)【要約】【課題】引出しにシートを貼り付けるものがあったが専用に作られたシートが必要で個人の好みの絵柄や厚みのあるものやハンカチやタオルは留められないといった問題があった。【解決手段】引出しの表板背面に上下位置や横方向位置調整可能のシート押え装置１５を付けた。  色々な厚みのシートを引出しの下に留めることができる。また好みの絵柄のあるハンカチやタオルも留めることができるようになった。  これによりあらゆる種類のシートを引出しの下に留めることができるようになった。【選択図】図５
2009095628.tif 000002
【特許請求の範囲】
【請求項１】
食器棚や流し台の収納引出しにおいてシート押え金具を備えたことを特徴とする引出しシート押え装置。
【請求項２】
前記シート押え装置はネジ座スライドガイドとコの字形状の長穴付き抑え金具と滑り止め軟質材とボルトを備えたことを特徴とする請求項１項に記載の引出しシート押え装置。
【請求項３】
前記コの字形状の長穴付き抑え金具は上刃と下刃の長さを変え下刃は先端部を段付きに形成したことを特徴とする請求項１項および請求項２項に記載の引出しシート押え装置。
【請求項４】
前記コの字形状の長穴付き抑え金具は下刃のみ更に１角曲げたことを特徴とする請求項１項から請求項３項に記載の引出しシート押え装置。
【請求項５】
前記シート押え装置は細丸棒を略Ｃ形状に曲げラバー筒を備え中央に引上げよう取手を形成したことを特徴とする請求項１項から請求項４項のいずれかに記載の引出しシート押え装置。
【請求項６】
前記シート押え装置はかざり人形を角度調整可能の支持棒で支持し支持棒の台座には吸着マグネットを備えたことを特徴とする請求項１項から請求項５項のいずれかに記載の引出しシート押え装置。
【請求項７】
前記シート押え装置は小物入れのバスケットに吸着マグネットを備えたことを特徴とする請求項１項から請求項６項のいずれかに記載の引出しシート押え装置。
【請求項８】
前記シート押え装置は飾り積木に吸着マグネットを備えたものであることを特徴とする請求項１項から請求項７項のいずれかに記載の引出しシート押え装置。
【発明の詳細な説明】
【技術分野】
【０００１】この発明は台所用食器棚、および流し台または事務用机や学習机などの引出しにシートなどを敷く技術である。
【背景技術】
【０００２】  従来の台所用食器棚、および流し台の引出しにシート（キッチンペーパー）などを敷くためシートの裏面に弱い粘着剤層を備え剥離テープで保護したものがあった。（特許文献１参照）
また引出しにシート止めピンを立て、それにシートに形成した穴を差し込んで複数のシートを留めるものがあった。（特許文献２参照）
そのほかにシートが引出しの中でずれないようにシートの表面は滑り易く形成し、シート裏面は滑りにくい材質としたシ−トがあった。（特許文献３参照）【０００３】
【特許文献１】  実登  第３０３２０８６号公報
【特許文献２】  特開平９−３７４号公報
【特許文献３】  特開平８−１７３２６１号公報
【発明の開示】
【発明が解決しようとする課題】
【０００４】  特許文献１のものにおいては、専用の粘着剤付きのシートが要るため、料理シートやナプキンなどが使えない、また専用のシートを使うため絵柄の付いたナプキンなどを使うことができないといった問題があった。
特許文献２はナプキンなどを使う場合にはピン通し穴の加工が必要となるため簡単に使うことができなかった。
特許文献３はやはり専用シートが必要で好みのシートやナプキンが使えない、また専用シートのため高価になるといった問題があった。
【課題を解決するための手段】
【０００５】  本案では引出しの手前側に高さと前後と左右方向に調整ができるシート押え装置を備えたものである。
【発明の効果】
【０００６】  これにより薄いシートからタオル地などの厚みのあるものまで容易に留めることができる。
また好みの絵柄のあるハンカチやタオルを使用することもできる。
【発明を実施するための最良の形態】
【０００７】  以下、この発明の各実施の形態を図に基づいて説明するが、各図において、同一または相当の部材、部位については、同一符号を付して説明する。【０００８】実施の形態１．
図１は一般的な食器棚の斜視図、図２は台所用流し台の斜視図、図３は事務用机や学習机の斜視図、図４は図１、２、３の引出しの斜視図、図５は実施の形態１を示す図４の断面図、図６は図３，４の引出しを背面から見た斜視図、図７は図６のシート押え部分の断面図、図８はシート押え部分の詳細斜視図、図９は図８のシート押え装置の斜視分解図である。
図において、１は食器棚、２は流し台、４は引出し、４ａは表板、５は蛇口、５ａはシンク、６は側板、６ａ後板、７は底板、８はナプキンなどのシート、９はコーヒーカップ、１０は皿、１１はスライドレール、１１ａは固定用サラネジ、１２は押え金具、１２ａ長穴、１２ｂは滑止めラバー、１３は止めネジ、１４はネジ座である。【０００９】  引出しの表板背面にスライドレール１１をサラネジ１１ａで止める。ネジ座１４をスライドレールに嵌める。次に下刃に滑止のラバー１２ｂが貼付けられた略コの字型の押え金具１２をサラネジでネジ座１４に止める。押え金具１２は中央に縦の長穴１２ａがあるのでナプキン７の厚みに合わせて押え金具の滑り止めのラバーと下刃の先端を使い、ナプキンを押える。【００１０】  最近の引出しは７０〜８０％閉めるとバネ力を利用したクローザ機構により自動で閉まり最後にストッパーに当たり止る。このためシートや食器が引出しを開閉毎に少しずつ移動させてしまうといった問題があった。
本案では前記シート押えにより表板背面部分でシートが押えられているため食器が多少引出しの奥方向にずれてもシートが弛まないので綺麗にシートが張付いた状態を維持することができる。
【産業上の利用の可能性】
【００１１】  この発明は、以上説明したように構成されているのでシートがずれることがない。とくに絵柄付きのハンカチやタオルなどを利用したナプキンでは弛みがでないので絵柄が見にくくなることはない。このため楽しく食器棚、または流し台を使うことができる。
【００１２】  実施の形態２．
図１０は実施の形態２を示すシート押えの断面図、図１１はシート押えの断面詳細図である。
図において、１２ｃはシート押え金具、１２ｄ段付き部、１７はへり付き（折り曲げ部を縫いつけ、または接着した）シートである。
本例では実施の形態１のシート押え金具の上刃と下刃の長さを下刃のみ短くしてしかも下刃の先端を段付き形状としたものである。
【００１３】  これによりナプキンの端部にヘリのある場合や厚みのあるナプキンではナプキンの曲げ部のＲ部を押え金具の段付き部で逃がすことができ、しかもナプキンの立ち上がり部を押え金具の下刃が短いことで厚い地でも下方向と前方向へ押え付けられるといった効果がでる。
【００１４】  実施の形態３．
図１２は実施の形態３を示すシート押えの断面詳細図である。図において、１２ｅは押え金具、１２ｆは曲げ部である。
【００１５】  本案では実施の形態１の押え金具の下刃のみ短くして前方へもう１角曲げを増やし下面と前記１角曲げ部にも滑り止めのラバーを貼ったものである。
これによりシートの下方向への押えと先端の立ち上げ部を前方へ強く押えることができる。
【００１６】  実施の形態４．
図１３は実施の形態４のシート押え装置の斜視図、図１４はシート押え装置の正面図と側面図である。
図において、１２ｇはシート押え金具、１２ｆは中空でカマボコ形状の滑止め付きラバーブロックである。
本案では押え金具の滑り止めラバーの形状をカマボコ断面にして中空にしたものを貼った。
【００１７】  これにより強く下面に押付けても中空部の空洞効果で引出しの底板が平面でない場合、またシートの厚みが変化したものにおいても、形状に馴染み一様に押え付けることができる。
【００１８】  実施の形態５．
図１５は実施の形態５のシート押え装置の斜視図、図１６は図１５の断面図である。
図において、１５はシート押え装置、１５ａは軸受部、１５ｂは長穴、１５ｃは止めネジ、１６はツルマキ押さえバネ、１６ａは押え枠、１６ｂは取手部、１６ｃは滑り止めラバー筒である。
本例では押え金具をバネで押える構成としてシートを押える場合は押え枠の取手部分１６ｂを手で持ち上げシートを敷いて枠を静かに戻しと円筒ラバー部でシートを押えることができる。
厚みのあるシートの場合は押え装置の化粧ボルトを緩め押え装置を長穴に範囲で上へ移動させる。
【００１９】  特にシートの厚みが普通ならばそのままシートを押えられる、タオル地など厚みのあるシートは止めネジを緩め長穴を利用しシート押え装置をあげる。
本例ではワンタッチでシートを留められるので使い易い。
【００２０】  実施の形態６．
図１７は実施の形態６を示す引出しの内部の斜視図、図１８はシート押え用飾り人形ポールの詳細図と角度可動部詳細図である。
図において、１８はシート押え人形ポール、１８ａは人形顔部、１８ｂは人形胴体部、１８ｃはポール、１８ｄは台座、１８ｅは吸着マグネット、１８ｆは軸受部、１８ｇはポールの軸穴、１８ｈは止めボルト一式である。
本例では引出しに敷いたシートの要所に吸着マグネットを備えた飾り人形を置いたものである。この場合は引出しの底面７が磁気を吸着できる金属製であることが必要である。
引出し高さ位置に合わせ人形の顔が良く見えるように、人形の角度を止めボルト１８ｈの軸支部分で変えることができる。
【００２１】  本例ではシートの形状に関係なく吸着マグネットの吸着力でシートを留められる。また簡単に留められる。しかもメルヘンチックな飾り人形により引出しを開けたとき楽しい雰囲気を出すことができる。
【００２２】  実施の形態７．
図１９は実施の形態７を示す引出し内部の斜視図、図２０は小物入れバスケットおよび飾り積木の断面図である。
図において、１９は飾り積木、１９ａは吸着マグネット、２０はナプキン、２１はナプキンの絵柄、２２は小物入れバスケット、２３は吸着マグネットである。
本例では実施の形態６
の飾り人形のポール１８や、小物入れバスケットのかごに吸着マグネット付きのものや、飾り積木に吸着マグネットを付けたものを適当に配置してシートをマグネットの吸着力で留めたものである。
【００２３】  これも実施の形態６と同様にシートの形状に関係なくシートを留められる。また小物バスケットには小物を入れられるので小物の整理ができる。しかも飾り人形や飾り積木やメルヘンチックな絵柄を入れたナプキンやタオルを組み合わせることで引出しを開けたとき楽しい雰囲気を出すことができる。
【図面の簡単な説明】
【００２４】
【図１】一般的な食器棚の斜視図。
【図２】台所用流し台の斜視図。
【図３】事務用机や学習机の斜視図。
【図４】図１、２、３の引出しの斜視図。
【図５】実施の形態１を示す図４の断面図。
【図６】図３，４の引出しを背面から見た斜視図。
【図７】図６のシート押え部分の断面図。
【図８】シート押え部分の詳細斜視図。
【図９】図８のシート押え装置の斜視分解図一般的な食器棚の斜視図。
【図１０】実施の形態２を示すシート押えの断面図。
【図１１】シート押えの断面詳細図。
【図１２】実施の形態３を示すシート押えの断面詳細図。
【図１３】実施の形態４のシート押え装置の斜視図。
【図１４】シート押え装置の正面図と側面図。
【図１５】実施の形態５のシート押え装置の斜視図。
【図１６】図１５の断面図。
【図１７】は実施の形態６を示す引出しの内部の斜視図。
【図１８】はシート押え用飾り人形ポールの詳細図と角度可動部詳細図。
【図１９】は実施の形態７を示す引出し内部の斜視図。
【図２０】は小物入れバスケットおよび飾り積木の断面図。
【符号の説明】
【００２５】記号の説明
記号見直し要
１は食器棚、２は流し台、３は事務用机または学習机、４は引出し、４ａは表板、５は蛇口、５ａはシンク、６は側板、６ａ後板、７は底板、８はナプキンなどのシート、９はコーヒーカップ、１０は皿、１１はスライドレール、１１ａは固定用サラネジ、１２は押え金具、１２ａ長穴、１２ｂは滑止めラバー、１２ｃはシート押え金具、１２ｄ段付き部、１２ｅは押え金具、１２ｆは曲げ部、１２ｇはシート押え金具、１２ｆはカマボコ形滑止め付きラバーブロック、１３は押えネジ、１４はネジ座、１５はシート押え装置、１５ａは軸受部、１５ｂは長穴、１５ｃは押えネジ、１６はツルマキ押さえバネ、１６ａは押え枠、１６ｂは引上取っ手部、１６ｃは滑り止めラバー筒、１７はへり付き（折り曲げ部を縫いつけ、または接着したもの）シート、１８はシート押え人形ポール、１８ａは人形顔部、１８ｂは人形胴体部、１８ｃはポール、１８ｄは台座、１８ｅは吸着マグネット、１８ｆは軸受部、１８ｇは軸穴、１８ｈは止めボルト一式、１９は飾り積木、１９ａは吸着マグネット、２０はナプキン、２１はナプキンの絵柄、２２は小物入れバスケット、２３は吸着マグネット
【図１】
2009095628.tif 000003
【図２】
2009095628.tif 000004
【図３】
2009095628.tif 000005
【図４】
2009095628.tif 000006
【図５】
2009095628.tif 000007
【図６】
2009095628.tif 000008
【図７】
2009095628.tif 000009
【図８】
2009095628.tif 000010
【図９】
2009095628.tif 000011
【図１０】
2009095628.tif 000012
【図１１】
2009095628.tif 000013
【図１２】
2009095628.tif 000014
【図１３】
2009095628.tif 000015
【図１４】
2009095628.tif 000016
【図１５】
2009095628.tif 000017
【図１６】
2009095628.tif 000018
【図１７】
2009095628.tif 000019
【図１８】
2009095628.tif 000020
【図１９】
2009095628.tif 000021
【図２０】
2009095628.tif 000022